(57)【特許請求の範囲】
【請求項１】
洗濯物の出し入れするための開口部を有したネット袋と、
前記開口部に設けられ２個のスライダが着脱自在とされたファスナと、
前記ファスナの両端部に設けられ前記スライダを移動させる際にファスナを支持するための支持部とを備え、
前記ファスナの半体は、前記開口部から延設された延在部に沿って設けられ、
前記支持部の隅部と前記延在部の根元部分のみとが結合されていること
を特徴とする洗濯用ネット。
【請求項２】
請求項１に記載の洗濯用ネットにおいて、
前記洗濯物の所持者を記載するための表示部が前記ネット袋に設けられたこと
を特徴とする洗濯用ネット。
【発明の詳細な説明】
【技術分野】
【０００１】
本発明は、衣服を洗濯する際に用いられる洗濯用ネットに関する。
【背景技術】
【０００２】
洗濯機により衣服を洗濯すると衣服同士が絡まってしまうことがある。このような衣服同士の絡まりを防止するため、衣服を洗濯用ネットに入れて洗濯することが行われている。具体的には、洗濯用ネットは、網目状のネット袋からなり、洗濯の際に衣服を収容するものとして使用される。このような方法により、衣服を一つの纏まった状態とすることができるので、洗濯機の洗濯槽内での水の攪拌によっても衣服同士の絡まりを防止することができる（特許文献１参照）。
【特許文献１】実開平０５−００９４７８号公報
【発明の開示】
【発明が解決しようとする課題】
【０００３】
ところで、洗濯用ネットのなかには、開口部にファスナが設けられているものがある。このような洗濯用ネットは、衣服を洗濯用ネットの中に確実に収容し、洗濯中において衣服が洗濯用ネットから出ることを防止することができた。しかしながら、衣服から生ずる糸屑がファスナに絡み付き、スライダを移動させることが困難となってしまい、洗濯用ネットの開口部の開閉ができなくなるという問題があった。
【０００４】
糸屑等のゴミがファスナに絡み付いてしまうことは、洗濯用ネット以外の用途で用いられるファスナでも生じていたことではあるが、これらの場合はそのような事態が発生することが稀であり問題となることも少なかった。ところが、洗濯用ネットは、衣服が洗濯槽内で攪拌されるという糸屑が発生しやすい状況の下で使用されるものであるので、糸屑がファスナに絡み付いてしまうという事態が発生することが多く、特に、洗濯業に携わる者、病院などで患者の衣服を洗濯する者にとっては大きな問題となっていた。
【０００５】
また、洗濯業者においても洗濯用ネットが使用されているが、洗濯槽は大容量であり回転力が強いため、洗濯用ネットが激しい運動に晒され、スライダ自体が壊れてしまうことが多々あった。このような場合、壊れたスライダを新しいスライダに交換しなければならないが、従来のファスナでは容易にスライダを交換することができないという問題があった。
【０００６】
本発明はこのような状況に鑑みてなされたものであり、ファスナに糸屑が絡み付いても容易に糸屑を取り除くことができ、また、スライダが壊れても容易に新しいスライダに交換することができる洗濯用ネットを提供することを目的とする。
【課題を解決するための手段】
【０００７】
本発明に係る洗濯用ネットは、洗濯物の出し入れするための開口部を有したネット袋と、前記開口部に設けられ２個のスライダが着脱自在とされたファスナと、前記ファスナの両端部に設けられ前記スライダを移動させる際にファスナを支持するための支持部とを備え、前記ファスナの半体は、前記開口部から延設された延在部に沿って設けられ、前記支持部の隅部と前記延在部の根元部分のみとが結合されていることを特徴とする。
【０００８】
本発明によれば、スライダが着脱自在とされていることから、ファスナに糸屑が絡み付いた場合にスライダをファスナから取り外しファスナ及びスライダを清掃することができ、また、スライダが壊れた場合には容易に新しいスライダに交換することができる。また、スライダを移動させる際にファスナの支持部を把持して固定することができるので簡単にスライダを移動させることができる。また、支持部は両端部に設けられていることから、スライダをいずれかの方向に移動させる際に移動方向とは反対側の支持部を把持することができるので、２個のスライダとも、いずれの方向にも容易に移動させることができる。
【００１１】
また、本発明に係る洗濯用ネットでは、前記洗濯物の所持者を記載するための表示部が前記ネット袋に設けられたことを特徴としてもよい。
【００１２】
この構成によれば、病院や老人介護施設などで業務としての洗濯を行う場合のように、多人数の衣服を洗濯する場合には、一人分の洗濯物を一つの洗濯用ネットに入れ、表示部にその洗濯物の所持者の氏名等を記載することができるので、洗濯物を混同する虞がない。
【発明の効果】
【００１３】
本発明に係る洗濯用ネットによれば、洗濯物の出し入れするための開口部を有したネット袋と、開口部に設けられ２個のスライダが着脱自在とされたファスナと、を備えていることから、ファスナに糸屑が絡み付いた場合にスライダをファスナから取り外し、ファスナ及びスライダを清掃することができ、また、スライダが壊れた場合には容易に新しいスライダに交換することができる。
【００１４】
また、本発明に係る洗濯用ネットによれば、スライダを移動させる際にファスナを支持するための支持部が、ファスナの両端部であってスライダの着脱を阻害しない位置に設けられていることから、スライダを移動させる際にファスナの支持部を把持して固定することができるので簡単にスライダを移動させることができる。また、支持部は両端部に設けられていることから、スライダをいずれかの方向に移動させる際に移動方向とは反対側の支持部を把持することができるので、２個のスライダとも、いずれの方向にも容易に移動させることができる。また、支持部はファスナの端部であってスライダの着脱を阻害しない位置に設けられていることから、支持部は、スライダの着脱の際の邪魔にもならない。
【００１５】
また、本発明に係る洗濯用ネットによれば、洗濯物の所持者を記載するための表示部がネット袋に設けられていることから、病院や老人介護施設などで業務としての洗濯を行う場合のように多人数の衣服を洗濯する場合には、一人分の洗濯物を一つの洗濯用ネットに入れ、表示部にその洗濯物の所持者の氏名等を記載することができるので、洗濯物を混同する虞がない。
【発明を実施するための最良の形態】
【００１６】
以下、本発明の実施の形態を図面に基づいて説明する。
【００１７】
図１は、本発明の実施の形態に係る洗濯用ネットの正面図である。図２は、本発明の実施の形態に係る洗濯用ネットのファスナ端部の拡大図である。図３は、本発明の実施の形態に係る洗濯用ネットのスライダを示し、図３（Ａ）はスライダの側面図であり、図３（Ｂ）はスライダの正面図である。図４は、本発明の実施の形態に係る洗濯用ネットのファスナの係合を解除した状態を示した説明図である。図５は、本発明の実施の形態に係る洗濯用ネットのファスナからスライダを離脱させた状態を示した説明図である。
【００１８】
本発明の実施の形態に係る洗濯用ネット１は、洗濯物の出し入れするための開口部１０を有したネット袋２０と、２個のスライダ３０，３０が着脱自在とされたファスナ１１とを備えており、ファスナ１１より開閉自在とされた開口部１０からネット袋２０の中に衣服を収容することができるものである。また、ネット袋２０の一側面には、表示部４０が設けられており、ネット袋２０に収容する衣服の所持者を記載できるようにされている。
【００１９】
表示部４０は、例えば、綿生地により形成されるが、合成樹脂製の薄板であってもよく、氏名等が記載することができるものであれば、どのような材質のものであってもよい。また、表示部４０は、面ファスナやホック等により、取り換え可能なものとしてもよい。このような構成によれば、洗濯用ネットに収容する洗濯物の所持者に対応させて、その所持者の氏名等が記載された表示部４０を洗濯用ネット１に取り付けることができるので、洗濯用ネット１を共用することができる。
【００２０】
ネット袋２０は、強靭性を有するポリエステル系又はポリアミド系の合成繊維により縫製された網目状のシートにより形成されており、洗濯時に加わる激しい旋回に対しても繊維が解れず糸屑が発生しにくいものとされている。なお、ネット袋２０の形状は、図１，４，５では正面視で矩形とされているが、この形状に限定されない。
【００２１】
また、シートの網目はハニカム状であることが好ましい。ハニカム状の網目構造とすることにより連結部に加わる力を分散させることができ、結果、シートの耐久性を向上させることができる。また、これにより、各網目は円形状に近似し鋭角が存在せず網目に糸が挟まれない構造となるため、洗濯時に生じる衣服からの解れ出た糸とシートの孔との絡まりを防止することができる。
【００２２】
ファスナ１１は、一対のファスナ半体１２，１２と、ファスナ半体同士１２，１２を係合させる２つのスライダ３０，３０とを備えており、各ファスナ半体１２は、開口部１０から延設された延在部１３の側縁に沿って設けられている。
【００２３】
ファスナ半体１２は、他方のファスナ半体１２の噛合エレメント１４と互いに噛み合う複数の噛合エレメント１４と、第一端子１５ａ及び第二端子１５ｂを備えている。噛合エレメント１４は延在部１３の側縁に等間隔で連設されており、その両側端のそれぞれに第一端子１５ａと第二端子１５ｂが設けられている。そして、一方のファスナ半体１２の第一端子１５ａが、他方のファスナ半体１２の第二端子１５ｂと対向し、また、一方のファスナ半体１２の第二端子１５ｂが、他方のファスナ半体１２の第一端子１５ａと対向するように、それぞれが延在部１３に設けられている。
【００２４】
一方端の第一端子１５ａには、スライダ３０のファスナ半体１２からの離脱を防止する離脱防止手段が設けられている。具体的には、第一端子１５ａの上面１７に凸部１６が設けられ、スライダ３０の上面板３１の内側上面３６に設けられた段差３７に当接するように形成されている。
【００２５】
なお、離脱防止手段は、上記したような、スライダ３０の段差３７と当接する凸部１６に限定されるものではなく、他の構造としてもよい。例えば、第二端子１５ｂの端部に、スライダ３０の正面口３３の周縁と係合する係合部（例えば、Ｌ字の突起）を設けてもよい。このような構成によれば、係合部の寸法は、スライダ３０の正面口３３の周縁と係合する大きさとなり、結果、上記の凸部１６よりも大きく目視し易いものとすることができるので、スライダ３０をファスナ１１から離脱させる場合に、スライダ３０の移動方向を容易に判別することができる。これにより、老人介護施設で働く高齢の作業者であっても、スライダ３０の移動方向を容易に判別することができるので、さらに短時間でスライダ３０を交換することができる。
【００２６】
他方端の第二端子１５ｂは、スライダ３０がファスナ半体１２から離脱可能な形状に形成されている。具体的には、第二端子１５ｂの上面１８は平坦に形成され、スライダ３０が第二端子１５ｂを通過できるものとされている。
【００２７】
以上の構成により、２個のスライダ３０，３０によりファスナ半体同士１２，１２を係脱自在とし、且つ、２個のスライダ３０，３０をファスナ半体１２から着脱自在なものとすることができる。すなわち、ファスナ半体同士１２，１２を係合させる場合には、一方のスライダ３０はファスナ半体１２の第一端子側に配置され、これをストッパとして用いることができ、他方のスライダ３０はファスナ半体同士１２，１２を係合させるものとして用いることができる。一方、ファスナ半体同士１２，１２を分離させている場合には、スライダ３０は１つのファスナ半体１２のみを案内する状態となっていることから、スライダ３０を第二端子側に移動させることによって容易にそのスライダ自体３０を離脱させることができる。
【００２８】
また、ファスナ１１の両端部には、スライダ３０を移動させる際にファスナ１１を支持するための支持部２５が設けられている。具体的には、ファスナ１１の一方の端部には、一方のファスナ半体１２の第一端子１５ａと他方のファスナ半体１２の第二端子１５ｂが非接触となる距離に第一端子１５ａと第二端子１５ｂを離間させる支持部２５が設けられており、また、ファスナ１１の他方の端部には、一方のファスナ半体１２の第二端子１５ｂと他方のファスナ半体１２の第一端子１５ａが非接触となる距離に第一端子１５ａと第二端子１５ｂを離間させる支持部２５が設けられている。
【００２９】
そして、支持部２５は、第一端子１５ａと第二端子１５ｂが自由端（支持部２５で固定されない状態）となるように、支持部２５の隅部２６と延在部１３の根元部分１９のみが結合されている。すなわち、第二端子１５ｂを通過させてスライダ３０をファスナ半体１２から離脱させることができるように、支持部２５が、ファスナ１１の両端部のそれぞれにおいてスライダ３０の着脱を阻害しない位置に設けられている。
【００３０】
これら支持部２５は、ポリエステル系のこしのある合成繊維シートにより形成され、折曲げ可能なものとされている。すなわち、支持部２５は、一対のファスナ半体１２，１２が係合されず分離した状態のときは、支持部２５のこしにより、対向する第一端子１５ａと第二端子１５ｂを非接触に離間させる一方、スライダ３０により一対のファスナ半体１２，１２を係合させるときは、支持部２５を折り曲げることにより、対向する第一端子１５ａと第二端子１５ｂを接近させることができるものとされている。
【００３１】
なお、支持部２５は、スライダ３０を移動させる際に、一対のファスナ半体１２，１２を支持するための把持手としても用いられるものでもある。
【００３２】
スライダ３０は、２つのファスナ半体１２，１２それぞれを案内する２つのガイド穴３２，３２を備え、２つのファスナ半体１２，１２それぞれを正面口３３からガイド穴３２に沿わせてスライダ３０の中心軸３５へ案内し両ファスナ半体１２，１２の噛合エレメント同士１４，１４が噛み合わせ、排出口３４付近で両ファスナ半体１２，１２を係合させるものである。
【００３３】
また、スライダ３０の上面板３１の内側上面３６には、上記したように、段差３７が設けられている。また、段差３７は、２つのガイド穴３２，３２それぞれに設けられている。また、段差３７は、正面口３３よりも排出口３４が縦方向にガイド穴寸法が狭まるように形成されており、第一端子１５ａの凸部１６と当接するように形成されている。
【００３４】
これら２つのスライダ３０，３０は、互いに向きが反対方向となるようにファスナ１１に係合しており、いずれのスライダ３０を用いてもファスナ１１を開閉できるように構成されている。
【００３５】
以上のファスナ１１は次のようにして使用される。
【００３６】
開いた状態にあるファスナ１１を閉じる場合は、一方のファスナ半体１２にだけに係合している２つのスライダ３０，３０を一方の端部に配置する。このとき、２つのスライダ３０，３０の各ガイド穴３２，３２は前後に隣接した状態となる。続いて、他方のファスナ半体１２の第二端子１５ｂを、前後に隣接した２つのスライダ３０，３０のガイド穴３２，３２に挿入し、そして、２つのファスナ半体１２，１２を係合させるべく一方のスライダ３０を移動させる。
【００３７】
ファスナ１１を開く場合は、ファスナ１１の両端部に配置されたスライダ３０，３０のうち、一方のスライダ３０を他方のスライダ３０側に移動させて、ファスナ半体１２の噛合エレメント同士１４，１４の係合を解除させる。そして、２つのスライダ３０，３０をファスナ１１の端部で隣接状態にした上で、第二端子１５ｂを２つのスライダ３０，３０から引き抜く。
【００３８】
スライダ３０をファスナ半体１２から離脱させる場合は、一方のファスナ半体１２にだけ係合しているスライダ３０を第一端子側から第二端子側へ移動させて、この第二端子１５ｂを通過させて離脱させる。
【００３９】
以上の洗濯用ネット１によれば、洗濯物の出し入れするための開口部１０を有したネット袋２０と、開口部１０に設けられ２つのスライダ３０，３０が着脱自在とされたファスナ１１と、を備えていることから、ファスナ１１に糸屑が絡み付いた場合にスライダ３０をファスナ１１から取り外し、ファスナ１１及びスライダ３０を清掃することができ、また、スライダ３０が壊れた場合には容易に新しいスライダに交換することができる。
【００４０】
また、スライダ３０を移動させる際にファスナ１１を支持するための支持部２５が、ファスナ１１の両端部であってスライダ３０の着脱を阻害しない位置に設けられていることから、スライダ３０を移動させる際にファスナ１１の支持部２５を把持して固定することができるので簡単にスライダ３０を移動させることができる。また、支持部２５は両端部に設けられていることから、スライダ３０をいずれかの方向に移動させる際に移動方向とは反対側の支持部２５を把持することができるので、２個のスライダ３０，３０とも、いずれの方向にも容易に移動させることができる。また、支持部２５はファスナ１１の端部であってスライダ３０の着脱を阻害しない位置に設けられていることから、支持部２５は、スライダ３０の着脱の際の邪魔にもならない。
【００４１】
また、洗濯物の所持者を記載するための表示部４０がネット袋２０に設けられていることから、病院や老人介護施設などで業務としての洗濯を行う場合のように多人数の衣服を洗濯する場合には、一人分の洗濯物を一つの洗濯用ネット１に入れ、表示部４０にその洗濯物の所持者の氏名等を記載することができるので、洗濯物を混同する虞がない。
【図面の簡単な説明】
【００４２】
【図１】本発明の実施の形態に係る洗濯用ネットの正面図である。
【図２】本発明の実施の形態に係る洗濯用ネットのファスナ端部の拡大図である。
【図３】本発明の実施の形態に係る洗濯用ネットのスライダを示し、図３（Ａ）はスライダの側面図であり、図３（Ｂ）はスライダの平面図である。
【図４】本発明の実施の形態に係る洗濯用ネットのファスナの係合を解除した状態を示した説明図である。
【図５】本発明の実施の形態に係る洗濯用ネットのファスナからスライダを離脱させた状態を示した説明図である。
【符号の説明】
【００４３】
１            洗濯用ネット
１０          開口部
１１          ファスナ
１２          ファスナ半体
１３          延在部
１４          噛合エレメント
１５ａ        第一端子
１５ｂ        第二端子
２０          ネット袋
２５          支持部
４０          表示部
【図１】
0004785812.tif 000002
【図２】
0004785812.tif 000003
【図３】
0004785812.tif 000004
【図４】
0004785812.tif 000005
【図５】
0004785812.tif 000006